Podtech/llm-jp-corpus-v4-ja_patent huggingface dataset:
(57)【要約】【課題】  ワカサギ釣り用電動リールのトラブルの解消とその操作性の向上【解決手段】  モーター７本体に円型マグネット３とその軸に回転アーム２を取付けることでベルトを使用しないでリールとモーターを直結にしたものである。【選択図】図１
2009118839.tif 000002
【特許請求の範囲】
【請求項１】
ワカサギ釣り用のリールで遠心力回転アームとマグネットを使うことで、ベルトを使用しない直結駆動形式の電動リール。
【発明の詳細な説明】
【技術分野】
【０００１】本発明は従来ある種々の電動リールのトラブルを解消し、構造が簡単で容易に使用できるようにしたものである。
【背景技術】
【０００２】従来はスイッチ１つで容易に巻き上げ降ろしの出来る電動リールはなかった。
【発明の開示】
【発明が解決しようとする課題】
【０００３】従来の電動リールでは水によるスリップと過負荷によるベルト切断のトラブルが多く発生し、釣りの最中に支障があった。
本発明は、この課題を解消するためのものである。
【課題を解決するための手段】
【０００４】モーター７本体に円型マグネット３とその軸に回転アーム２を取付けることでベルトを不要とし、構造を簡単にしたものである。
【発明の効果】
【０００５】構造を簡単にしたことでトラブルがなくなりモーターの伝動効率も向上し、電池の寿命が延びた。（単３アルカリ電池１．５Ｖ１本で１日）
また、電動リールの取り扱いが容易で、操作性が向上した。
【発明を実施するための最良の形態】
【０００６】［図３］に示すとおり、モーターと電池及びスイッチを一体化で収納するケースカバーに釣りザオを取り付け使用する。【０００７】［図３］において、モーター７を回転させると回転アーム２が、遠心力の働きによりマグネット３から離れ糸巻プーリー４のピン１に移動すると、同時にピンとアームが一体化になりプーリーに回転を与え釣糸８を巻上げることができる。
また、回転を停止すればアームはピンから離れ、プーリーは自由に回転し釣糸を下ろすことができる。
以上、スイッチ５の操作１つで簡単でトラブルがなくワカサギ釣りをできる
【図面の簡単な説明】
【０００８】
【図１】  本発明の側面図である。
【図２】  本発明の遠心力回転アームとマグネットの正面図である。
【図３】  本発明の使用状態を示す平面図である。
【符号の説明】
【０００９】  １  ピン
２  遠心力回転アーム
３  円型マグネット
４  糸巻プーリー
５  スイッチ
６  電池
７  モーター
８  釣り糸
９  釣りザオ
【図１】
2009118839.tif 000003
【図２】
2009118839.tif 000004
【図３】
2009118839.tif 000005
(57)【要約】      （修正有）【課題】動画ファイル及び音声ファイルの再生画面には、文字、文章、感想、コメントを入力する機能はなく、動画及び音声のみが再生画面に表示されている。これにより、利用者が再生画面上に文字、文章、感想、コメントを入力し、表示させる。【解決手段】利用者がインターネットサイト上のサーバー及びデーターベースに会員情報を登録することにより、サイト上で配信されている動画ファイル及び音声ファイルの再生画面上に文字、文章、感想、コメントを入力できるとともに、入力された文字、文章、感想、コメントがサーバー及びデーターベースに記憶され、記憶された文字、文章、感想、コメントが再生画面上に表示されることを可能にする。【選択図】なし【特許請求の範囲】
【請求項１】
利用者がコンピューター及び携帯電話からインターネットサイト上のサーバー及びデーターベースに会員情報を登録することにより、本発明を利用したインターネットサイト上で配信されている動画ファイル及び音声ファイルの再生画面上に文字、文章、感想、コメントを入力できるとともに、入力された文字、文章、感想、コメントがサーバー及びデーターベースに記憶され、記憶された文字、文章、感想、コメントが再生画面上に表示されることを可能にするシステム。
【発明の詳細な説明】
【技術分野】
【０００１】  本発明は、利用者がコンピューター及び携帯電話からインターネットサイト上のサーバー及びデーターベースに会員情報を登録することにより、本発明を利用したインターネットサイト上で配信されている動画ファイル及び音声ファイルの再生画面上に文字、文章、感想、コメントを入力できるとともに、入力された文字、文章、感想、コメントがサーバー及びデーターベースに記憶され、記憶された文字、文章、感想、コメントが再生画面上に表示されることを可能にするシステムである。
【背景技術】
【０００２】  従来から、動画ファイル及び音声ファイルの再生画面には、文字、文章、感想、コメントを入力する機能はなく、動画及び音声のみが再生画面に表示されている。
【発明の開示】
【発明が解決しようとする課題】
【０００３】  しかし、従来のような方法では、利用者が動画ファイル及び音声ファイルの再生画面上に文字、文章、感想、コメントを入力し、表示させることが困難であった。本発明は、このような問題を解決することを課題とする。
【課題を解決するための手段】
【０００４】  この課題を解決するための請求項１の発明は、利用者がコンピューター及び携帯電話からインターネットサイト上のサーバー及びデーターベースに会員情報を登録することにより、本発明を利用したインターネットサイト上で配信されている動画ファイル及び音声ファイルの再生画面上に文字、文章、感想、コメントを入力できるとともに、入力された文字、文章、感想、コメントがサーバー及びデーターベースに記憶され、記憶された文字、文章、感想、コメントが再生画面上に表示されることを可能にする。これにより、利用者が動画ファイル及び音声ファイルの再生画面上に文字、文章、感想、コメントを入力し、表示させることが困難であるという問題を解決することができる。
【発明の効果】
【０００５】  本発明により、利用者がコンピューター及び携帯電話からインターネットサイト上のサーバー及びデーターベースに会員情報を登録することにより、本発明を利用したインターネットサイト上で配信されている動画ファイル及び音声ファイルの再生画面上に文字、文章、感想、コメントを入力できるとともに、入力された文字、文章、感想、コメントがサーバー及びデーターベースに記憶され、記憶された文字、文章、感想、コメントが再生画面上に表示されることが可能になる。これにより、利用者が動画ファイル及び音声ファイルの再生画面上に文字、文章、感想、コメントを入力し、表示させることが困難であるという問題を解決することができる。また、文字、文章、感想、コメントを入力し表示させることにより、企業が動画ファイル及び音声ファイルの改善点、感想が把握でき、より良い動画ファイル及び音声ファイルを作成できる。
【発明を実施するための最良の形態】
【０００６】  本発明は、インターネット上のホームページで利用されるのが望ましい。
【産業上の利用可能性】
【０００７】  本発明は、インターネットサイトの利用者増加につながるとともに、文字、文章、感想、コメントを入力し、表示させることにより動画ファイル及び音声ファイルの改善点、感想が把握でき、企業がより良い動画ファイル及び音声ファイルを作成できることにつながるため、産業上の利用可能性を有する。
(57)【要約】【課題】  従来から、動画ファイル及び音声ファイルは企業などに制作され、高度な性能を持った専用サーバーを使用し、インターネット上で配信されている。これにより、個人が自作した動画ファイル及び音声ファイルをインターネット上で視聴可能にするのは困難であった。本発明は、このような問題を解決することを課題とする。【解決手段】  本発明は、利用者がコンピューター及び携帯電話からインターネットサイト上のサーバー及びデーターベースに会員情報を登録し、自作した動画ファイル及び音声ファイルを動画配信専用サーバー及び音声配信専用サーバー上にアップロードすることにより、インターネットサイト利用者及び会員情報を登録した会員がサーバーに蓄積された動画ファイル及び音声ファイルを視聴することを可能にするシステムである。これにより、この課題を解決する。【選択図】なし【特許請求の範囲】
【請求項１】
利用者がコンピューター及び携帯電話からインターネットサイト上のサーバー及びデーターベースに会員情報を登録し、自作した動画ファイル及び音声ファイルを動画配信専用サーバー及び音声配信専用サーバー上にアップロードすることにより、インターネットサイト利用者及び会員情報を登録した会員がサーバーに蓄積された動画ファイル及び音声ファイルを視聴することを可能にするシステム。
【発明の詳細な説明】
【技術分野】
【０００１】  本発明は、利用者がコンピューター及び携帯電話からインターネットサイト上のサーバー及びデーターベースに会員情報を登録し、自作した動画ファイル及び音声ファイルを動画配信専用サーバー及び音声配信専用サーバー上にアップロードすることにより、インターネットサイト利用者及び会員情報を登録した会員がサーバーに蓄積された動画ファイル及び音声ファイルを視聴することを可能にするシステムである。
【背景技術】
【０００２】  従来から、動画ファイル及び音声ファイルは企業などの制作会社により制作され、高度な性能を持った動画配信専用サーバー及び音声配信専用サーバーを使用し、インターネット上で配信されている。
【発明の開示】
【発明が解決しようとする課題】
【０００３】  しかし、従来のような方法では、動画配信専用サーバー及び音声配信専用サーバーを所有していない個人が自作した動画ファイル及び音声ファイルをインターネット上で視聴可能にするのは困難であった。本発明は、このような問題を解決することを課題とする。
【課題を解決するための手段】
【０００４】  この課題を解決するための請求項１の発明は、利用者がコンピューター及び携帯電話からインターネットサイト上のサーバー及びデーターベースに会員情報を登録し、自作した動画ファイル及び音声ファイルを動画配信専用サーバー及び音声配信専用サーバー上にアップロードすることにより、インターネットサイト利用者及び会員情報を登録した会員がサーバーに蓄積された動画ファイル及び音声ファイルを視聴することを可能にする。これにより、動画配信専用サーバー及び音声配信専用サーバーを所有していない個人が自作した動画ファイル及び音声ファイルを視聴可能にするのは困難であるという問題を解決することができる。
【発明の効果】
【０００５】  本発明により、利用者がコンピューター及び携帯電話からインターネットサイト上のサーバー及びデーターベースに会員情報を登録し、自作した動画ファイル及び音声ファイルを動画配信専用サーバー及び音声配信専用サーバー上にアップロードすることにより、インターネットサイト利用者及び会員情報を登録した会員がサーバーに蓄積された動画ファイル及び音声ファイルを視聴することを可能にすることができる。これにより、動画配信専用サーバー及び音声配信専用サーバーを所有していない個人が自作した動画ファイル及び音声ファイルを視聴可能にするのは困難であるという問題を解決することができる。また、インターネットサイト利用者及び会員情報を登録した会員が蓄積された動画ファイル及び音声ファイルを視聴できることにより、自作した動画ファイル及び音声ファイルが多くのサイト利用者及び会員に視聴されることを可能にする。
【発明を実施するための最良の形態】
【０００６】  本発明は、インターネット上のホームページで利用されるのが望ましい。
【産業上の利用可能性】
【０００７】  本発明は、インターネットサイトの利用者増加につながるため、産業上の利用可能性を有する。
(57)【要約】      （修正有）【課題】モータの軸ブレやシャフトシールなどによる軸の回転負荷によって、発生する摩擦圧とそれに伴う熱の発生を抑えて、高効率を維持する。【解決手段】モータのシャフト４が飛び出ている側の蓋３とモータの本体側の断面との間に柔軟な接続部分、例えばゴムとか布等を使用した接続部１で接続する。シャフト４とシャフトシール２等と直接接触している蓋３の壁板が柔軟な物質で出来ていて柔軟な接続体１がシャフト４の移動した位置に沿って柔軟に移動する。【選択図】図１
2009118718.tif 000002
【特許請求の範囲】
【請求項１】
自在シャフト省エネモータは、モータのハウジングのシャフトが蓋の壁板から飛び出ている側の蓋又はモータ本体の一部とモータの本体側の断面との間に柔軟な接続部分、例えばゴムとか布等を使用した接続部で接続して、シャフトに軸ブレや周辺の物質と強く接触しないように前記シャフトと前記シャフトシール等と直接接触している前記蓋の壁板が柔軟な物質で出来ていて柔軟な接続体が前記シャフトの移動した位置に沿って柔軟に移動することによって、物体間の強い摩擦接触によるエネルギーロスを引起さない構造のモータ。
【請求項２】
シャフトシールスをシャフト上に物体を通してか直接固定して、剛体のリップを供転させ、前記蓋の開口部に接触物を固定して圧着させて前記リップと密着させて内部流体をシールするシャフトシールを前記柔軟な接続部と接続している前記蓋の壁板と共に移動することによって、軸ブレやシャフトえの負荷に摩擦の影響を殆ど受けない構造のシャフトシールとモータ。
【請求項３】
（請求項１及び２）によるシャフトの位置の変化による外部の駆動装置、例えば工作機械等の連結による位置の変動に対応する為、上記モータの台座にバネや球状の支柱にバネを嵌めた外力の変形を促す応力を吸収する台座。
【発明の詳細な説明】
【背景技術】
【０００１】従来のモータは、モータ内部の力の作用を受けてシャフトを元の位置に出来るだけ固定させようとする負荷によって生じる摩擦圧とそれに伴う熱と効率の低下によるエネルギーロスが大きかった。
【当該技術】
【０００２】当該技術は、モータ本体を囲むハウジングとシャフトが突き出ている側の蓋の間に柔軟な接続部を設けて、軸ブレ等によるシャフトの位置の変化に蓋の部分が大きな部品間の摩擦抵抗無しに移動することによってエネルギーロスを低減し、それに伴う高効率を維持するモータ。
【図面の簡単な説明】
【０００３】
【図１】当該モータの断面図の一例
【符号の説明】
【０００４】１．柔軟な接続体        ２．シャフトシール
３．蓋の壁板            ４．シャフト
５．固定子              ６．回転子
７．ブラッケット        ８．台座
【発明の詳細な説明】
当該発明は、モータ本体とブラッケット（７）の内、シャフト（４）がハウジングから突き出た側の蓋（３）との間に柔軟な接触部（１）を設けて、シャフト（４）と共転するシャフトシール（２）と内接する前記蓋（３）が前記シャフト（４）のモータ内の固定子（５）と回転子（６）の相互の作用や他の負荷による軸ブレ等の位置の変化に前記シャフト（４）諸共に移動して部品間の強い摩擦接触をすることによって発生するエネルギーロスを防ぎ、高効率を維持し省エネを実行するモーターで、且つ、ハウジングの外に飛び出たシャフト（４）の位置がそれと連結する位置のズレが顕著に発生しないように台座（８）にバネや球状の支柱をバネに嵌め込んだ台座でズレを吸収するモータ。
【図１】
2009118718.tif 000003
(57)【要約】【課題】干しするめを焙焼したのち圧延したのしいかをフライにしたいかフライ製品の製造法において、得られたいかフライ製品中の油含有率及び水分活性を低下させて食感がクリスピーとソフトの中間タイプの風味あるいかフライ製品を提供する。【解決手段】干しするめを焙焼後、ロールに掛けて引延ばしたのしいかに小麦粉、澱粉、卵白を含む衣液を塗布し、１６０〜１９０℃に加熱した食油で２〜５分間揚げる。ついで得られたフライを醤油、澱粉、調味料、にんにくを含む調味液に漬けて塗布し、１２０〜１６０℃にて２〜５分間焙焼したのち冷却する。【選択図】なし【特許請求の範囲】
【請求項１】
干しするめを焙焼したのち圧延したのしいかに衣液を塗布したのちフライにする工程と、フライ後、醤油を含む調味液に漬け込む工程と、調味液に漬けたのち焙焼する工程とよりなることを特徴とするいかフライ製品の製造法。
【発明の詳細な説明】
【技術分野】
【０００１】
本発明は、干しするめを焙焼したのち圧延したのしいかをフライにしたいかフライ製品の製造法に関する。
【背景技術】
【０００２】
この種いかフライ製品には、食感がばりばりとした比較的クリスピーなタイプのものと、ソフトなタイプのものとがあり、従来はフライ後の製品をそのまま包装していた。
【発明の開示】
【発明が解決しようとする課題】
【０００３】
近年、いかフライ製品に対する消費ニーズとして、食感がクリスピーとソフトの中間タイプのものが求められる傾向が高まりつつある。湿気たような食感は、フライ後、調味液に漬けたり、フライの温度を下げることにより得られるが、前者の調味液への漬け込みは、風味のあるフライ製品が得られるものの、べと付き感を呈する。一方、後者のフライ温度の低下は、火通りが不十分となって不快な味を呈するようになったり、油脂を多く含み、風味を損なうようになる。
【０００４】
本発明は、食感がクリスピーとソフトの中間タイプのいかフライ製品を上記のような問題を生ずることなく製造することができるようにしたものである。
【課題を解決するための手段】
【０００５】
本発明のいかフライ製品の製造法は、干しするめを焙焼したのち圧延したのしいかに衣液を塗布したのちフライにする工程と、フライ後、醤油を含む調味液に漬け込む工程と、調味液に漬けたのち焙焼する工程とよりなることを特徴とする。
【発明の効果】
【０００６】
本発明方法によると、得られたいかフライ製品中の油含有率及び水分活性が低下し、食感がクリスピーとソフトの中間タイプのものが得られること、油含有率や水分活性の低下により、腐食やかびが生じにくくなること、醤油を含む調味液の塗布により、風味のあるいかフライ製品が得られること、醤油を含む調味液を塗布したのちフライにすると、醤油の味がそのまま残ったり、焦げて黒くなる製品が得られがちであるが、フライ後に醤油を含む調味液を塗布し、焙焼することによって醤油味がそのまま残ることなく、焦げて黒くなることもない。
【実施例】
【０００７】
干しするめを焙焼後、ロールに掛けて引延ばしたのしいかに、日新製粉株式会社製の商品名Ａバイオレット（登録商標）の小麦粉１００重量％に対し、澱粉２０重量％、卵白２０重量％、水２００重量％を配合して混合した衣液を塗布したのち、１６０〜１９０℃に加熱した食油で２〜５分間フライした。次に得られたこのフライを醤油１００重量％に対し、澱粉２０重量％、調味料５重量％、水５重量％を配合して混合し、更ににんにく２重量％を加えた調味液に漬けて塗布し、ついで１２０〜１６０℃にて２〜５分間焙焼したのち冷却した。
【０００８】
フライ直後のいかフライは、油含有率が３０重量％前後であったが、焙焼後、１７重量％に低下した。
(57)【要約】 【課題】マスクを掛けていることは、掛けている本人の気持ちが閉じこもりがちになり、意欲に欠け積極的な行動ができないこともある。また社会生活においてもマスクが周囲の人々との円滑なコミュニケーションの障害になっている。【解決手段】マスク本体の外気側の一部または全部に、マーク・イラスト・カット・キャラクター・絵・図・模様・文字・写真のデザインを印刷することである。デザインの選択はマスクを掛ける人の好みや楽しみまたは興味があるデザインを選んでもよいし、さらにマスクを掛ける人の意思表示や自己表現を表したりまたは社会啓発を目的としてデザインを選んでもよい。またこれらのデザインを自ら創作してもよい。【選択図】  図１
2009153661.tif 000002
【特許請求の範囲】
【請求項１】
不織布やフィルターなどを重ね合わせて長方形の形をした本体と前記本体の長手方向の左右両端に前記本体を保持する耳掛けひもを付けることにより形成されるマスクで、前記本体の外気側の一部または全部にデザインを印刷したことを特徴とするお楽しみマスク。
【発明の詳細な説明】
【技術分野】
【０００１】
本発明はマスクに関するものであり、マスクの表面にデザインを施したことである。  
【背景技術】
【０００２】
従来からマスクのほとんどが白い色のマスクが使用され、その用途は風邪・花粉・ウィ
ルス・ほこり除けなどのマスクがもつ衛生的な機能から使用されている。
【特許文献１】特開２００６−２６３４０８号公報
【発明の開示】
【発明が解決しようとする課題】
【０００３】
そのために次のような問題点があった。
（イ）マスクを掛けている姿は暗いイメージがあり、マスクを掛けている本人も明るい気分にはなれないことや口元をマスクで覆うため声が相手に通りにくく、また自分は周囲の人から区別されているのではという意識もあり、意欲的になれず積極的な行動に欠けることもある。
（ロ）マスクを掛けている姿は周囲の人に親しみを与えず、また、周囲の人を寄せ付けない雰囲気を持たせている。そして周囲の人もマスクを掛けている人を避ける傾向がある。
したがって、マスクを掛ける人は気持ちが閉じこもりがちになり、意欲に欠け積極的な行動ができないこともある。また社会生活においてもマスクが周囲の人々との円滑なコミュニケーションの障害になっている。
本発明は、以上の問題点を解決するためになされたものである。
【課題を解決するための手段】
【０００４】
マスク本体の外気側の一部または全部に、マーク・イラスト・カット・キャラクター・絵・図・模様・文字・写真のデザインを印刷することである。デザインの選択はマスクを掛ける人の好みや楽しみまたは興味があるデザインを選んでもよいし、さらにマスクを掛ける人の意思表示や自己表現を表したりまたは社会啓発を目的としてデザインを選んでもよい。また、これらのデザインを自ら創作してもよい。そしてこれらのマスクは主に大人の人が掛けるのに適している。
本発明は以上の構成よりなるお楽しみマスクである。
【発明の効果】
【０００５】
マスク本体の外気側の一部または全部にマスクを掛ける人の好みや楽しみまたは興味があるデザインを施すことによって、マスクを掛ける人に自分が選んだまたは創作したデザインを付けているということで気持ちが明るくなり自信と意欲が湧いてきて積極的な行動をとることになる。また周囲の人々にたいしてもユーモアを醸し出して打ち解けた明るい雰囲気になる。また、マスクを掛ける人と周囲の人々とがデザインを通してお互いにコミュニケーションをとることができる。さらにマスクがマスクを掛ける人の意思表示や自己表現の手段として活用されれば、マスクを掛ける人に自信と意欲がつくのはもちろんのこと周囲の人々とのコミュニケーションも活発になり、また社会への啓発や啓蒙が促進される。
【発明を実施するための最良の形態】
【０００６】
（イ）本体（１）の外気側の一部または全部にマスクを掛ける人の好みや楽しみまたは興味があるマーク・イラスト・カット・キャラクター・絵・図・模様・文字・写真のデザインを印刷する。
（ロ）本体（１）の外気側の一部または全部にマスクを掛ける人の意思表示や自己表現を表したりまたは社会啓発を目的としてマーク・イラスト・カット・キャラクター・絵・図・模様・文・写真のデザインを印刷する。
（ハ）本体（１）の外気側の一部または全部に前記（イ）と前記（ロ）を組み合わせたデザインを印刷する。
【実施例１】
【０００７】
図１のように自分の家で飼っている猫の顔と足跡を自ら絵に描き、本体（１）の外気側の一部に印刷したものである。
【実施例２】
【０００８】
図２のようにタバコを止める目的で職場の人々にも自分の決意を知らせるために「禁煙中」という文字を本体（１）の外気側の一部に印刷したものである。
【産業上の利用可能性】
【０００９】
マスクが風邪予防などの衛生的な機能だけの需要ではなく、マスクを掛ける人の楽しみや意思表示の手段として活用されればその用途は拡大すると思われる。そして社会生活のアイテムとして認められればマスクの需要は一段と増大すると思われる。
【図面の簡単な説明】
【００１０】
【図１】実施例１の平面図
【図２】実施例２の平面図
【符号の説明】
【００１１】
１  本体  
２  耳掛けひも
【図１】
2009153661.tif 000003
【図２】
2009153661.tif 000004
(57)【要約】【課題】  従来は、写真等を窓あきマットのない額縁に挿入する場合に、写真等の中心と額縁の中心とが重なり、写真等の縦の辺と額縁の縦の辺が平行になる位置を目測で定めていた。【解決の手段】  額縁のガラスの平面の大きさと同じ寸法の透明の板の全面に等ピッチの方眼を施し、その板の縦の辺の二等分線と横の辺の二等分線との交点を原点とし、各二等分線並びに上端、下端、左端及び右端の各罫線に等間隔の目盛を付し、更にその板に、額縁に挿入する写真等の大きさの範囲内に複数の開口部をもうけた。これにより、窓あきマットのない額縁に、写真等の中心と額縁の中心とが重なり、写真等の縦の辺と額縁の縦の辺が平行になる位置に写真等を挿入すること及び１個の額縁に複数の写真等を並べて挿入することができる。【選択図】  図１
2009153751.tif 000002
【特許請求の範囲】
【請求項１】
写真等を窓あきマットのない額縁に挿入する場合に、写真等の中心と額縁の中心とが重なり、写真等の縦の辺と額縁の縦の辺が平行になる位置を定めるために、透明の板の全面に等ピッチの方眼を施し、その板の縦の辺の二等分線と横の辺の二等分線の交点を原点とし、各二等分線並びに上端、下端、左端及び右端の各罫線に等間隔の目盛を付した透明指示盤。
【請求項２】
透明の板に、額縁に挿入する写真等の大きさの範囲内に複数の開口部を設けた透明指示盤
【発明の詳細な説明】
【技術分野】
【０００１】
本発明は、写真等の中心と額縁の中心とが重なり、写真等の縦の辺と額縁の縦の辺が平行になる位置を定めることができる透明指示盤に関する。
【背景技術】
【０００２】
従来の窓あきマットのない額縁に写真等を挿入するには、額縁を裏返してから裏蓋を外し、額縁のガラスの上に、裏向きにした写真等をのせ目測で写真等の位置を定めている。
【発明の開示】
【発明が解決しようとする課題】
【０００３】
以上述べた従来の方法では、写真等の挿入位置を目測で定めているので、写真等の中心と額縁の中心とが重なり、写真等の縦の辺と額縁の縦の辺が平行になる位置を定めることが容易にできなかった。
【０００４】
本発明は、このような従来の方法が有していた問題を解決しようとするものであり、窓付きマットのない額縁に写真等を、写真等の中心と額縁の中心とが重なり、写真等の縦の辺と額縁の縦の辺が平行になる位置を容易に定めることができる透明指示盤を実現することを目的とするものである。
【課題を解決するための手段】
【０００５】
そして、本発明は、窓あきマットのない額縁に写真等を、写真等の中心と額縁の中心とが重なり、写真等の縦の辺と額縁の縦の辺が平行になる位置を定めることができる目的を達成するために、透明の板の全面に等ピッチの方眼を施し、その板の縦の辺の二等分線と横の辺の二等分線の交点を原点とし、各二等分線並びに上端、下端、左端及び右端の各罫線に等間隔の目盛を付し、更にその板に、額縁に挿入する写真等の大きさの範囲内に複数の開口部を設けることにより上記課題を解決したものである。
【発明の効果】
【０００６】
上述したように本発明の透明指示盤は、窓あきマットのない額縁に、写真等の中心と額縁の中心とが重なり、写真等の縦の辺と額縁の縦の辺が平行になる位置に写真等を挿入すること及び１個の額縁に複数の写真等を並べて挿入することができる。
【発明を実施するための最良の形態】
【０００７】
以下、本発明の実施の形態を図１~ 図３に基づいて説明する．
【０００８】
図１においては、透明の板の全面に等ピッチの方眼を施し、その板の縦の辺の二等分線
と横の辺の二等分線との交点を原点とし、各二等分線並びに上端、下端、左端及び右端の
各罫線に等間隔の目盛を付し、更にその板に、額縁に挿入する写真等の大きさの範囲内に複数の開口部を設けたものである。
【０００９】
図２においては、平行四辺形ａｃｄｂは額縁に挿入する写真等であり、点ａ及び点ｂの位置は線分ａｇの長さと線分ｇｂの長さとが等しくなる位置とし、点ａ及び点ｃの位置は線分ａｅの長さと線分ｅｃの長さとが等しくなる位置とし透明盤の開口部で写真等を指で移動する。
【図面の簡単な説明】
【００１０】
【図１】写真等を額縁に挿入する位置を定める透明指示盤の平面図である。
【図２】額縁に写真等を挿入する方法図である。
【図３】１個の額縁に２枚の写真等を並べて挿入した図である。
【符号の説明】
【００１１】
１  写真等を額縁に挿入する位置を定める透明指示盤
２  方形を描く縦の罫線
３  方形を描く横の罫線
４  写真等を移動するために指を写真等に触れる目的の開口部
５  写真等を額縁に挿入する位置を定める透明指示盤( 罫線が省略してある )
６  写真等
【図１】
2009153751.tif 000003
【図２】
2009153751.tif 000004
【図３】
2009153751.tif 000005
(57)【要約】      （修正有）【課題】作物の周りに雑草が生えるのを防ぎ作物に水分や栄養分を効果的にせ施用できる雑草除去用シートを提供する。【解決手段】合成樹脂部４と布部とを貼り付けてあり該合成樹脂部４と布部はを日光を遮断できる色に着色され、該合成樹脂部４に植物１を植え付ける切り込み部３を設け水分や栄養分は該布部を通して施用するようにした雑草除去用シート。【選択図】図１
2009153384.tif 000002
【特許請求の範囲】
【請求項１】
作物本体に水分や栄養分を外側より浸透させる事を可能にした布と合成樹脂で形成された雑草除去用シート。
【発明の詳細な説明】
【技術分野】
【０００１】
本発明は、野菜や果物類を作る時の雑草除去に関する。
【背景技術】
【０００２】
従来は、作物を作る際に周りに生える雑草が生えれば手間と時間を掛け除去していた。（例えば特許文献１参照。）
【０００３】
ポリシートを敷き詰め真ん中に穴を開け、作物に水分と栄養分をその穴部分より行っていたが、穴部分から雑草が生え水分も栄養分もなかなか入りずらく時間も手間も費やしていた。
【０００４】
またそれ以外にも自動潅水を土壌内に埋めたり、土とポリシートの間に自動潅水を設置していた。
【特許文献１】特開平９−２８２１１号  公報
【発明の開示】
【発明が解決しようとする課題】
【０００５】
育てようとする作物の周りに自然と生えてくる雑草を手作業で除去していたが雑草を除去するだけでも手間と時間をかけ、しかも雑草の茎や葉の部分を取り除くが地上より出ていない根の部分は残ることが多かった。そして数週間が過ぎればまた残った根より新しい芽が伸びる状態だ。除草剤の散布も育てようとする作物の影響ない場所であれば可能だが、それではあまり意味をなさないし除草剤の散布は、現代社会では環境面で問題がある。
【０００６】
植物の根は下にも伸びるが成長するにつれ、主に横に伸びるので植物の真下だけに水や栄養分を与えても成長が遅くなったり止まったりする事がある。また植物の真下に水を与え過ぎると根腐れの恐れもあった。植物の根がより広範囲に伸びている方が植物の成長が促進される。
【課題を解決するための手段】
【０００７】
他所から飛来してきた雑草の種子を合成樹脂部分はもちろんの事、布部分もキメが細かいのでどちらの部分でも受けとめ種子が発芽する事はない。さらに合成樹脂部分と布部分は濃い黒色で日光を遮断するので内部の土壌から発芽することもない。
【０００８】
合成樹脂部分と布部分の色彩は、日光を遮断できる色であれば何色でも良い。
【０００９】
栄養面については、外部より植物の成長に合わせて与えるのが一番良く、布部分があることにより栄養の調整ができるようになる。
【発明の効果】
【００１０】
このように合成樹脂シートを敷き詰めば雑草も生えなくなり、雑草を除去するための時間や手間また人件費が掛からなくなる。栄養分も雑草がなくなることによりほぼ植物本体に吸収される。
【００１１】
布部分があることにより通気性が良くなり根腐れの心配もない、栄養面でも外側から与えやすくなり栄養たっぷりの病気にも強い植物に育つ。
【００１２】
合成樹脂部分があることにより土壌内温度を暖かく保つことができ、作物の成長を促進させ収穫時期を早めることが出来る。よって水道費や肥料代の削減にも繋がる。
【００１３】
本発明のシートは合成樹脂と布部分で出来ているため安価なコストで土地の管理ができ、取り付け作業もシートが軽いので一人で簡単に取り付けることが出来る。
【発明を実施するための最良の形態】
【００１４】
以下、本発明の実施の形態を図１〜図３に基づいて説明する。
【００１５】
作物を育てたい場所に黒い雑草除去シートを敷き詰め、中央部分に切り込みを入れ野菜や果物など育てようとする植物の苗があり、植物の約４０センチ〜５０センチほどの所に合成樹脂と布部分また合成樹脂と接着剤で貼り付けてあり。布部分の幅は約２０センチ〜３０センチほどにする。そしてサイド部分は強風にシートが飛ばされないように土をかぶせるので約３０センチ〜４０センチ長さにすると良い。
【００１６】
例として、合成樹脂部分はポリエチレンが良い。
【００１７】
また布部分は自己実験で天然繊維でも化学繊維でもキメの細かいものであればどちらでも良いが、キメの細かくないスポンジ等では飛来した種子が発芽する恐れがあるので好ましくない。
【００１８】
また、図３のように育てようとする作物によって布部分を円形状にしたり、布幅も長くしても良い。
【００１９】
本発明の雑草除去シートは作物の収穫が終わり次第取り変えることが好ましいが、そのまま次の作物を育てることも可能。シートが破損しない限り何度でも繰り返し使う事が出来る。保管も丸めるだけで良いので簡単に出来る。
【図面の簡単な説明】
【００２０】
【図１】植物と雑草除去シートの斜視図。
【図２】植物と雑草除去シートの断面図。
【図３】植物と布部分の形が違う雑草除去シートの斜視図。
【符号の説明】
【００２１】
１        植物
２        地面
３        切り込み部
４        合成樹脂部
５        布面
６        根
【図１】
2009153384.tif 000003
【図２】
2009153384.tif 000004
【図３】
2009153384.tif 000005
(57)【要約】【課題】円環状ゴム帯の開口部に腰をおろし、両脚を入れて環状帯ゴムを両脚でつっぱることにより、半円形の可動帯ゴムが人体の背面を前方へ押す力が働く為、その結果上体を前方へ倒すストレッチ体操が容易に行えるストレッチ用ゴム帯を提供する。【解決手段】円環状帯からなる環状帯ゴムの中央両側に対向する位置を接続部とし、半円形状の可動帯ゴムを連接する。環状帯ゴムの開口部の直径は人体の胴よりも大きいものとし、開口部の内側より両脚で環状帯ゴムを押し伸ばすことにより可動帯ゴムは身体の背面部を前方に押圧して、開脚と上体を前に倒すストレッチを補助することを特徴とするストレッチ体操用ゴム帯。【選択図】図２
2009153955.tif 000002
【特許請求の範囲】
【請求項１】
開口部に人の胴体が充分入れる程の直径を有する円環状帯ゴムに可動帯ゴムを設け、その可動帯ゴムが人体の背面部を前方に押すことによって、上体を前方へ倒すストレッチを補助することを特徴とするストレッチ体操用ゴム帯。
【発明の詳細な説明】
【技術分野】
【０００１】本発明は、ゴムの伸縮力でストレッチ体操を補助する、ストレッチ体操用ゴム帯に関するものである。
【背景技術】
【０００２】  従来、開脚を行いながら上半身を前方へ倒すストレッチ体操は、自力で上体を前に倒すか、もしくは人に背中を押してもらうやり方であった。なお、ゴムの伸縮性を利用した脚の筋力トレーニングは知られている（特許文献１）。
【特許文献１】実用新案出願公開昭６１−８００６号公報
【発明の開示】
【発明が解決しようとする課題】
【０００３】  開脚を行いながら上半身を前方に倒すストレッチ体操は次のような問題点があった。
（イ）座った状態での開脚時に股関節の角度が大きく開かない。
（ロ）大腿二頭筋がストレッチされていないために身体の背面部が丸まりやすい。
（ハ）自力で行った場合身体に柔軟性が備わって充分にストレッチが行われるようになるまでに時間と身体的な苦痛を伴った。
本発明は、以上の問題点を解決するようになされたものである。
【課題を解決するための手段】
【０００４】開口部に人の胴体が充分入れる程の直径を有する環状帯ゴムに可動帯ゴムを連接し、その可動帯ゴムが人体の背面部を前方に押すことによって、上体を前方に倒すストレッチ体操を補助する。以上を特徴とするストレッチ体操用ゴム帯ある。
【発明の効果】
【０００５】本発明は、両脚を伸ばしながら上半身を前方に倒すストレッチ体操時、上体の背面部を可動帯ゴムが前方へ押すために上半身を前に倒すことが容易に行える。このとき股関節とハムストリングスが同時にストレッチすることができる。また、他人の介添えを不要として一人でできる。また、環状帯ゴムの伸縮力に反発する力が両脚と腰に働くため、背筋が丸まらず上体を垂直に保つことができ、開脚が容易に行える。また、大腿二頭筋、脊髄起立筋、後背筋、複直筋の筋力が向上する。
【発明を実施するための最良の形態】
【０００６】以下、本発明の実地の形態を説明する。
（イ）中央を開口部とする円形状の環状帯ゴム（１）に半円形状からなる可動帯ゴム（２）の両端を環帯ゴムの中央両側の対向する位置を接続部（４）とし連接する。
（ロ）円環状帯からなる環状帯ゴム（１）の開口部（３）の直径は人の胴体よりも大きいものとする。
（ハ）環状帯ゴム（１）の中央より端の両側に対向する位置に接続部（４）を設け、半円形状の可動ゴム帯（２）を図４に示すように二本にすることもできる。
（ニ）環状帯ゴム（１）及び可動帯ゴム（２）は、平ゴムでもチューブ状のものでもよい。
本発明は、以上の構成からなっている。
本発明を使用する場合は、開口部（３）に人体胴体を入れ、可動帯ゴム（２）を上体の背面にあてがいながら、環状帯ゴム（１）を内側から両脚でつっぱるように伸ばす。このとき両脚は開脚を行っても閉じていてもよい。身体の後方部にある環状帯ゴム（１）は腰の背側にあてる。また開脚を行った場合、両脚を両側に開くほど上体の背面にあててある可動帯ゴム（２）と腰にあててある環状帯ゴム（１）は上体を前方へ押す力が増す、その為よりストレッチ体操が効果的に行える。
なお、前方部の環状帯ゴム（１）を図３のように肩甲骨に回すことによりストレッチ効果はより強くなる。
【図面の簡単な説明】
【０００７】
【図１】本発明の斜視図
【図２】本発明の使用状態を示す正面図
【図３】本発明の使用状態を示す斜視図
【図４】本発明の他の実施例を示す斜視図
【符号の説明】
【０００８】  １環状帯ゴム
２可動帯ゴム
３開口部
４接続部
【図１】
2009153955.tif 000003
【図２】
2009153955.tif 000004
【図３】
2009153955.tif 000005
【図４】
2009153955.tif 000006
(57)【要約】【課題】洋式便器の便座は、腰を下ろしたときの姿勢が不安定で、排便が促されないだけでなく、立ち上がるとき膝に大きな負担がかかっている。また男性が腰を下ろして小便をする際、便器と便座の隙間から尿が外部に漏れる心配があった。【解決手段】便座の前端部が低くなるように約６度の勾配をつける。腰を下ろしたとき適度な前傾姿勢が保て、立ち上がるときの膝の負担が軽減される。また男性の小便時、尿が便器と便座の隙間から外部に漏れることを抑止できる。【選択図】図１
2009153956.tif 000002
【特許請求の範囲】
【請求項１】
洋式便器の便座に前端部が低くなるよう約６度の勾配をつける。
【発明の詳細な説明】
【技術分野】
【０００１】  従来は水平であった便座の形状を、図１に示すように、前端部が低くなるように変更するものである。
【背景技術】
【０００２】
【発明の開示】
【発明が解決しようとする課題】
【０００３】  従来の水平な便座では、腰を下ろしたときの姿勢が不安定であり、排便が促されないばかりか、立ち上がるとき膝に大きな負担がかかっている。また、男性が腰を下ろして小便をする際、前方の便器と便座の隙間から尿が外部に漏れる心配もある。そこで、この発明は、排便を促し、立ち上がるときの膝の負担を軽減し、尿が漏れる心配の無い便座を提供することを課題とする。
【課題を解決するための手段】
【０００４】  以上の課題を解決するために、第一発明は、便座の前端部が低くなるように約６度の勾配を付けたことを特徴とする便座である。
【発明の効果】
【０００５】  第一発明によれば、便座に前端部が低くなるように勾配をつけたことで、腰を下ろしたとき適度な前傾姿勢が保て、足を踏ん張れるため排便が促される。
また、少し腰を浮かせた姿勢であるため、立ち上がるとき膝にかかる負担が大幅に軽減される。さらに、前傾姿勢を取れることで、男性が腰を下ろして小便をする際、尿が便器と便座の隙間から外部に漏れることを抑止できる。
【発明を実施するための最良の形態】
【０００６】  この発明の一実施形態を図１に示す。
従来の便座に対し、前端部を約１ｃｍ薄く、開口の最後部を約３ｃｍ厚くして、約６度の勾配がとれるよう便座を形成する。
【図面の簡単な説明】
【０００７】
【図１】この発明の一実施形態を示す側面図である。
【図１】
2009153956.tif 000003
(57)【要約】【課題】  従来の洋式便器の便座及び温水洗浄便座を使用する時、両足の太腿が便座に接する部分から圧迫感を受け血行が悪くなって両足のしびれや軽いエコノミー症候群等の症状が現れる危惧があった。【解決手段】  洋式便器の便座及び温水洗浄便座に左右の太腿が接する部分にくぼみ溝を設け、くぼみ溝の底や溝の両脇の法面勾配の形状をうまくデザインすることにより、左右の太腿が便座にヒットし便座からの圧迫感が緩和され、両足のしびれ、軽いエコノミー症候群等の症状が現れる危惧が少なくなる。【選択図】図１
2009153952.tif 000002
【特許請求の範囲】
【請求項１】
洋式便器の便座及び温水洗浄便座に左右の太腿が接する部分にくぼみ溝を設けたことを特徴とするくぼみ溝付き便座。
【請求項２】
洋式便器の便座及び温水洗浄便座を使って用を済ませる時に左右の太腿が便座に接する部分の血行を悪くさせないために、便座にくぼみ溝を設けるもので、このくぼみ溝は左右の太腿が便座に接する部分に設けたことを特徴とする請求項１記載のくぼみ溝付き便座。
【請求項３】
左右のくぼみ溝は便座の強度やデザイン性を考慮して左右のくぼみ溝を一体化しても良いとしたことを特徴とする請求項１記載のくぼみ溝付き便座。
【発明の詳細な説明】
【発明の詳細な説明】
【０００１】  このくぼみ溝付き便座は人が便座に座って用を済ませる時に両足の太腿が便座からの圧迫感を緩和するためのものである。
また、このくぼみ溝の深さは便座に座ったときに、両足の太腿が便座から圧迫感等を感じさせないように便座の大きさ、強度及びデザイン性の許す限り深いものとする。
【発明に属する技術分野】
この発明は、洋式便器の便座及び温水洗浄便座の形状に関するものである。この温水洗浄便座はメーカーによってシャワートイレとかウォッシュレットとも呼ばれている。
【背景技術】
【０００２】  従来の洋式便器の便座や温水洗浄便座の形状は、図４、図６に示すように、左右の太腿が便座に接する部分は、ほぼフラットか便座の内側より外側が高く、くぼみ溝は設けられていない。
【発明が解決しようとする課題】
【０００３】  しかしながら、以上の従来技術によれば、洋式便器の便座及び温水洗浄便座を使用する人の健康状態によっては、太腿が便座に接する部分の血行が悪くなって両足のしびれや軽いエコノミー症候群等の症状が現れる危惧があった。
そこで、この発明は、人が便器に座って用を済ませる時に両足の太腿が便座に接する部分の血行をできるだけ悪くさせない便座を提供することを課題とする。
【課題を解決するための手段】
【０００４】
【請求項１】
洋式便器の便座及び温水洗浄便座に左右の太腿が接する部分にくぼみ溝を設けたことを特徴とするくぼみ溝付き便座。
【請求項２】
洋式便器の便座及び温水洗浄便座を使って用を済ませる時に左右の太腿が便座に接する部分の血行を悪くさせないために、便座にくぼみ溝を設けるもので、このくぼみ溝は左右の太腿が便座に接する部分に設けたことを特徴とする請求項１記載のくぼみ溝付き便座。
【請求項３】
左右のくぼみ溝は便座の強度やデザイン性を考慮して左右のくぼみ溝を一体化しても良いとしたことを特徴とする請求項１記載のくぼみ溝付き便座。
以上の課題を解決するために、請求項目１の発明は、図１、図３に示すように左右の太腿６が便座に接する部分の血行を悪くさせないために便座にくぼみ溝４を設けたことを特徴とするくぼみ溝付き便座である。
また、要求項２の発明は、くぼみ溝を左右の太腿が便座に接する部分に２箇所設けたことを特徴とするくぼみ溝付き洋式便器の便座及び温水洗浄便座である。
さらに、要求項３の発明は、左右のくぼみ溝に挟まれた部分５を、くぼみ溝にして左右のくぼみ溝を一体化したことを特徴とするくぼみ溝付き洋式便器の便座及び温水洗浄便座である。
【発明の実態の形態】
【０００５】  この発明の実施形態を図１、図２、図３に示す。
くぼみ溝付き洋式便器の便座及び温水洗浄便座は、人が便器に座って用を済ませる時に左右の太腿６が便座に接する部分にくぼみ溝４を設けたもので、便座の材質に関係なく便座の強度、大きさ、デザイン性が許す限り深いくぼみ溝とする。
また、左右二つのくぼみ溝に挟まれた部分５は、便座の大きさ、強度及びデザイン性を考慮して、広い溝にして左右のくぼみ溝を一体化して一つのくぼみ溝にしても良い。
【実態形態の効果】
【０００６】  この実態形態によれば、便座にくぼみ溝を設けことで、人が便座に座って用を済ませる時に便座から受ける圧迫が軽減され、両足の太腿が便座に接する部分のしびれや軽いエコノミー症候群等の症状を最小限に抑えられる。
【他の実態形態】
【０００７】  図１の実態形態では、洋式便器の本体１の上に便座２、便座の蓋３があり、この便座２に、くぼみ溝を設けたものであったが、そのくぼみ溝の底や溝の両脇の法面勾配の形状に関係なく、両足の太腿が便座に接する部分が便座から圧迫を軽減するためにくぼみ溝を設けることに価値がある。
【発明の効果】
【０００８】  以上説明したように、この発明によれば、洋式便器の便座及び温水洗浄便座にくぼみ溝を設け、くぼみ溝の底や溝の両脇の法面勾配の形状をうまくデザインすることにより、両足の太腿が便座にヒットし便座からの圧迫感が緩和され、両足のしびれ、軽いエコノミー症候群等の症状が現れる危惧が少なくなる。特にやむなく便座を長く使わざるを得ない人ほど有効となる。
【０００９】  また、洋式便器の便座及び温水洗浄便座に座った時に便座から受ける違和感、圧迫感が少ない。
【図面の簡単な説明】
【図１】  この発明の一実態形態を示す斜視図である。
【図２】  この発明の一実態形態を示す平面的な斜視図であると共に次に示す図３の便座の断面図の概略位置を示す。
【図３】  この発明の一実態形態を示す便座の断面図例である。
【図４】  従来技術を示す斜視図である。
【図５】  従来技術を示す平面図で図６に示す洋式便座の断面図の概略位置を示す。
【図６】  従来技術を示す一実態形態を示す便座の断面図例である。
【符号の説明】
１  洋式便器の本体
２  洋式便器の便座及び温水洗浄便座
３  便座の蓋
４  くぼみ溝
５  左右のくぼみ溝に挟まれた部分
６  左右の太腿
【図１】
2009153952.tif 000003
【図２】
2009153952.tif 000004
【図３】
2009153952.tif 000005
【図４】
2009153952.tif 000006
【図５】
2009153952.tif 000007
【図６】
2009153952.tif 000008
(57)【要約】【課題】  部分的に頭髪のないところを隠す頭髪装飾具を提供する。【解決手段】  ヘアピンに毛を一列に取り付け、部分的に頭髪のないところの上の頭髪にヘアピンを挟むことによって、頭髪のないところを隠すことを特徴とする頭髪装飾具【選択図】図１
2009153957.tif 000002
【特許請求の範囲】
【請求項１】
ヘアピンに毛を一列に取り付け、部分的に頭髪のないところの上の頭髪にヘアピンを挟むことによって、頭髪のないところを隠すことを特徴とする頭髪装飾具
【発明の詳細な説明】
【技術分野】
【０００１】  本発明は、部分的に頭髪のないところを隠す頭髪装飾具に関するものである。
【背景技術】
【０００２】  従来、部分的に頭髪のないところを隠すときは、頭全体を覆うかつらを使用するか、部分かつらを使用していた。
【発明の開示】
【発明が解決しようとする課題】
【０００３】  そのために、次のような問題点があった。
（イ）頭全体を覆うかつらを使用した場合、皮膚とかつらとの境目が不自然になり、かつらを使用していることが分かりやすく、装着するのに手間がかかった。
（ロ）頭全体を覆うかつらを使用した場合、頭が蒸れ易く衛生的でなかった。
（ハ）部分かつらを使用した場合、元の頭髪とかつらの毛との色の違いが目立つため、かつらを使用している事が分かりやすかった。
本発明は、以上の問題点を解決しようとするものである。
【課題を解決するための手段】
【０００４】  ヘアピンに毛を一列に取り付ける。そして、部分的に頭髪のないところの上の頭髪にヘアピンを挟むことによって、頭髪のないところを隠す。以上を特徴とする頭髪装飾具である。
【発明の効果】
【０００５】  本発明は、ヘアピンを頭髪に挟む事によって、頭髪のないところを隠す。したがって、簡単に取り付けることができ、頭を覆っていないため、蒸れる事もなく、元の頭髪とかつらとの間にヘアピンがあるため、毛の色の違いが分かりにくい。
また、アクセサリーとして使用することもできる。
【発明を実施するための最良の形態】
【０００６】  以下、本発明の実施の形態について説明する。
（イ）ヘアピン本体（１）は、頭髪受け（２）、頭髪押さえ（３）、軸（４）、ばね（５）で構成されている。
（ロ）頭髪受け（２）と頭髪押さえ（３）には軸受け（６）があり、ばね（５）を入れた状態で軸（４）を通すことにより、ばね（５）が頭髪受け（２）に頭髪押さえ（３）を押し付ける。
（ハ）ヘアピン本体（１）を頭髪（１１）に装着したときは、頭髪受け（２）と頭髪押さえ（３）が、頭髪（１１）を挟み込み、保持する。
（ニ）頭髪押さえ（３）には、凸部（７）があり、ヘアピン本体（１）を頭髪（１１）に装着したときは、ヘアピン本体（１）が頭髪（１１）からずれないように保持する。
（ホ）頭髪押さえ（３）には、毛（８）を一列に設け、ヘアピン本体（１）を頭髪（１１）に装着したときに、頭髪のないところを隠す。
本発明は、以上のような構造で、これを使用するときは、図４のようにヘアピン本体（１）のつまみ（９）を指（１０）で押して、頭髪受け（２）と頭髪押さえ（３）の先を広げてから、図５のように頭髪のないところの上の頭髪（１１）に装着し、毛（８）で頭髪のないところを隠す。
【図面の簡単な説明】
【０００７】
【図１】本発明の斜視図
【図２】本発明の正面図
【図３】本発明のＡ−Ａ’断面図
【図４】本発明の装着時の状態を示す斜視図
【図５】本発明の装着の状態を示す斜視図
【符号の説明】
【０００８】      １  ヘアピン本体
２  頭髪受け
３  頭髪押さえ
４  軸
５  ばね
６  軸受け
７  凸部
８  毛
９  つまみ
１０  指
１１  頭髪
【図１】
2009153957.tif 000003
【図２】
2009153957.tif 000004
【図３】
2009153957.tif 000005
【図４】
2009153957.tif 000006
【図５】
2009153957.tif 000007